(57)【要約】      （修正有）【課題】幅広の靴を履いている際に、靴の中で足が動くことを防止する中敷きを提供する。【解決手段】合成樹脂体２は、中敷き本体１の裏面１ＲＳの内で、土踏まず部分１Ａの下方部分１ＡＬから、踵部分１Ｂを介して、土踏まず部分１Ａに対向する外側部分１Ｃまでの、中敷き本体１の横サイド部分の上にのみ、配設されている。合成樹脂体２は、例えば、プラスチックより成る。その場合の製造法としては、例えば、加熱状態での圧縮成形により、中敷き本体１の裏面１ＲＳの所定箇所上に、合成樹脂体２は配設される。【選択図】図１
0003198149.tif 000002
【実用新案登録請求の範囲】
【請求項１】
中敷き本体と、
前記中敷き本体の裏面の内で、土踏まずの部分から前記中敷き本体の踵部分を介して前記土踏まずの部分に対向する前記中敷き本体の外側部分までの横サイド部分の上にのみ、配設される合成樹脂体と
を備えることを特徴とする、中敷き。
【請求項２】
請求項１に記載の中敷きであって、
前記合成樹脂体は、前記中敷き本体の前記裏面の内で、前記土踏まずの部分の一部分から前記踵部分を介して前記土踏まずの部分に対向する前記外側部分までの前記横サイド部分の上にのみ配設されている
ことを特徴とする、中敷き。
【請求項３】
中底に配設される中敷として、請求項１又は２に記載の前記中敷きを
備えることを特徴とする、靴。
【考案の詳細な説明】
【技術分野】
【０００１】
この考案は、男性用又は女性用の靴に適用可能な中敷き及び当該中敷きが適用される靴（短靴又は長靴）に関する。
【背景技術】
【０００２】
靴の爪先側の構造等に起因して生じ得る外反母趾等により足の親指が痛くなるのを回避するために、靴幅（靴の横幅サイズ）がより大きな構造の靴（幅広の靴）が、商品化されている。例えば、女性用としては、最大で靴幅が４Ｅとなる幅広の靴が、販売されており、男性用としては、最大で靴幅がＦとなる幅広の靴が、販売されている。
【先行技術文献】
【特許文献】
【０００３】
【特許文献１】特開２００５−３０５０６５号
【考案の概要】
【考案が解決しようとする課題】
【０００４】
例えば靴幅が４Ｅの様な幅広の靴を履いた場合には、靴の横方向の構造がゆったりとしている分、靴を履いた際に感じる親指等の指の痛みが和らげられるが、その反面、靴の中で足が動きやすくなるという問題点がある。特に、中高年の女性・男性の人の場合には、足の力が比較的に衰えてきている傾向が強いため、当該中高年者は、靴を履いている際の当該靴の中敷きの動きに対して抵抗し難くなっていると思われる。このために、より一層に、靴の中での足の横方向への動きが大きくなる。この様な靴の中での足の余計な動きは、靴の履き心地を悪くさせ、歩きづらくなるという問題点をもたらす。
【０００５】
この様な問題点は、中高年用に適した靴のみならず、何れの世代の人の靴についても生じ得る問題点であるとも言え、又、女性用靴又は男性用靴の性別如何に拘わらず、且つ、靴の種類如何に拘わらず、靴及び中敷きの構造に伴い、一般的に発生し得る問題点であると、言える。
【０００６】
この考案は、以上の問題点の認識に鑑みて成されたものであり、その主目的は、靴を履いている際に靴の中で足が動くことによる履き心地の悪さ及び歩行のしづらさを改善し得る靴用の中敷きを提供することにある。
【課題を解決するための手段】
【０００７】
本考案の主題に係る中敷きは、中敷き本体と、前記中敷き本体の裏面の内で、土踏まずの部分から前記中敷き本体の踵部分を介して前記土踏まずの部分に対向する前記中敷き本体の外側部分までの横サイド部分の上にのみ、配設される合成樹脂体とを、備えることを特徴とする。
【０００８】
しかも、本考案の主題の第２構成に係る中敷きに於いては、合成樹脂体は、前記中敷き本体の前記裏面の内で、前記土踏まずの部分の一部分から前記踵部分を介して前記土踏まずの部分に対向する前記外側部分までの前記横サイド部分の上にのみ配設されていることを特徴とする。
【考案の効果】
【０００９】
本考案の主題によれば、中敷きが中底に敷かれた靴の使用時に、中敷き本体の裏面の横サイド部分に位置する合成樹脂体が中敷き本体に足から加わる力に反発するので、中敷き本体の裏面の横サイド部分は、潰れてしまうことはなく、安定した状態を保つことが出来る。反面、中敷き本体の裏面の内の、合成樹脂体で囲まれた踵領域の中央部は、中敷き本体自体より成るので、足からの加圧によって、沈み込む。その結果、靴を履いている者は、違和感を覚えることなく、靴の中で足が左右に揺れて動く事態を受けることなく、靴に馴染んだ快適な状態で、安定して歩行することが可能となる。
【００１０】
しかも、本考案の主題の第２構成に係る中敷きによれば、中敷き本体の裏面の内の、土踏まずの部分の他部分（例：本来的に動く箇所である上側部分）には合成樹脂体が配設されていないので、当該土踏まずの部分の他部分は、本来的に沈み込み性を呈するクッション性を有する中敷き本体の一部分そのものから成る。このため、当該中敷きが敷かれた靴を履いている者は、土踏まずの部分に於ける足の沈み込みを依然として感じることが出来、違和感を覚えることがない結果、中敷きの土踏まず部分を介した靴の曲がりの良さをなおも維持・発揮することが出来る。
【００１１】
以下、本考案の様々な具体化を、添付図面を基に、その効果・利点と共に、詳述する。
【図面の簡単な説明】
【００１２】
【図１】本考案の実施の形態１に係る中敷きの裏面の構成を模式的に示す裏面図である。
【図２】本考案の実施の形態１に係る中敷きの側面構成を模式的に示す左側面図である。
【図３】本考案の実施の形態１に係る中敷きの側面構成を模式的に示す右側面図である。
【図４】本考案の実施の形態１に係る中敷きの表面の構成を模式的に示す平面図である。
【考案を実施するための形態】
【００１３】
（本考案に係る中敷きの着眼点及び特徴点）
【００１４】
靴幅が４Ｅの様な幅広の靴を履いている際に靴の中で足が動いてしまう原因は、靴の履き心地の観点から当該靴の中敷きに足を載せた際に足が沈みこむ様に中敷き自体がクッション性を持つ部材より構成されているために、靴を履いて歩く際に中敷きの横サイドが左右に沈み込む様に変形する移動に対して足が抵抗しきれずに追随して揺さぶられて動くためであると、考えられる。そうすると、当該靴の中敷きの横サイド部分、特にクッション性の履き心地の良さに影響しにくい中敷きの踵側の横サイド部分が、クッション性による沈み込みを呈せずに、重力により足から加わる力に対して対抗する態様で反発力を発揮して足を支持する機能を呈するならば、その様な中敷きの構成の改善は、本発明が認識し指摘した上記問題点を解決することが出来ることになる。
【００１５】
斯かる着眼点に鑑みて、本考案者は、中敷き本体の裏面の内で、土踏まずの部分から、好ましくは、土踏まずの部分の下方部分から、中敷き本体の踵部分を介して土踏まずの部分に対向する中敷き本体の外側部分までの横サイド部分の上にのみ配設される「合成樹脂体」を中敷き本体に設けることを、提案する。この様な「合成樹脂体」の追加的配設により、中敷きが本来的に持つクッション性（沈み込み性）による履き心地の良さを維持しつつ、中敷きが敷かれた靴を履いた際に靴の中で歩行者の足が左右に揺れて動くのを効果的に防止することが可能となる。
【００１６】
以下、上記「合成樹脂体」が中敷き本体の裏面上に配設された「中敷き」及びそれが中底に敷かれた靴の構成を、実施の形態１に於いて、添付の図面と共に、詳述する。
【００１７】
（実施の形態１）
＜中敷き１０の構造＞
図１は、本実施の形態に係る中敷き１０の裏面１ＲＳ側の構成を平面視的に且つ模式的に示す裏面図である。又、図２及び図３は、各々、中敷き１０の、その裏面から見て左側面側及び右側面側に該当する構成を模式的に示す左側面図及び右側面図である。更に、図４は、中敷き１０の表面１Ｓ側の構成を平面視的に且つ模式的に示す平面図である。尚、本発明乃至は本実施の形態では、中敷き１０の表面１Ｓ側の構成は何らの特徴的構成を備えるものではないため、図４に示された表面１Ｓ側位の構成は一例であり、その意味では、中敷き１０の表面１Ｓ側の構成は任意である。
【００１８】
図１乃至図５に於いて、中敷き１０は、任意の靴（図示せず。）の中底に敷かれるものであり、大要、１）通常の中敷きに該当する「中敷き本体１」と、２）中敷き本体１の裏面１ＲＳの所定箇所上に固設されている「合成樹脂体２」とより成る。図１乃至図５中、中敷き１０の爪先部分及び踵部分はそれぞれ符号１Ｔ及び符号１Ｂで示され、中敷き１０の爪先側領域及び踵側領域中央部はそれぞれ符号１Ｅ及び符号１Ｄで示され、中敷き１０の土踏まずの部分及び当該土踏まず部分に対向する外側部分はそれぞれ参照符号１Ａ及び参照符号１Ｃで示されている。そして、中敷き本体１の裏面１ＲＳに於いて、ほぼ全体部分を成す平面部と、当該平面部より表面１Ｓ側へ向けて立ち上がっている側面部ないしは立設部とが、連続的に交差・接続して成る交差線ないしは稜線１ＣＬは、上記の合成樹脂体２で囲まれていない部分（実線で表示される。）を除き、一点鎖線で表示されている。また、土踏まずの部分１Ａと連続的に繋がって表面１Ｓの中央部に於いて突出している凸部１Ｆと、土踏まずの部分１Ａとの境界線１ＢＬは、実線で表示されている。
【００１９】
中敷き１０の特徴的構成部分は、上記の合成樹脂体２である。即ち、図１乃至図４に例示される様に、合成樹脂体２は、中敷き本体１の裏面１ＲＳの内で、土踏まずの部分（土踏まず部分）１Ａから、踵部分１Ｂを介して、土踏まず部分１Ａに対向する外側部分１Ｃまでの横サイド部分の上にのみ、配設されている。本例では、合成樹脂体２は中敷き本体１の裏面１ＲＳの外縁１ＯＥにまでは達していないが、変形例として、合成樹脂体２は、中敷き本体１の裏面１ＲＳの外縁１ＯＥにまで設けられていても良い。ここで、合成樹脂体２は、例えば、プラスチック（例：ＥＶＡ）より成り、その場合の製造法としては、例えば、加熱下に於ける圧縮成形により中敷き本体１の裏面１ＲＳの所定箇所上に固設される。或いは、その他の一例として、合成樹脂体２は中敷き本体１の裏面１ＲＳの所定箇所上に接着剤を介して接着されていても良い。
【００２０】
この様に、合成樹脂体２が中敷き本体１の裏面１ＲＳの横サイド部上に補強的に固設されているので、中敷き本体１の裏面１ＲＳの当該横サイド部は局所的に左右に変形し難い硬い部分となっており、その部分に足を載せても足が反発を受けて沈み込まない部分を成している。
【００２１】
以上の合成樹脂体２の配設により、中敷き１０の踵側領域に於いて、その中央部１Ｄは、中敷き本体１の裏面１ＲＳの横サイド部に位置する合成樹脂体２によって囲まれた部分であり、中敷き本体１自体より成る部分である。従って、中敷き１０の踵側領域中央部１Ｄは、依然として、同部１Ｄに足を載せると足が沈み込む程度のクッション性を呈する。このクッション性を呈する踵側領域中央部１Ｄの存在により、中敷き１０が中底に敷かれた靴を履いている者は、靴の中の足の踵側領域の中央部に於いて、違和感を、感じ難くなる。この状態に於いて、靴を履いている者は、靴の中の足の踵側領域の横サイド部分において、足が左右への横ぶれを起こすことなく安定的に支持されている感覚を同時に体得する。
【００２２】
本実施の形態では、好ましい一例として、中敷き本体１の裏面１ＲＳ側から見て合成樹脂体２の左側端部は、中敷き本体１の裏面１ＲＳの土踏まず部分１Ａの一部分、即ち、土踏まず部分１Ａの下側部分（第１部分）１ＡＬ上にのみ配設されており、土踏まず部分１Ａの他部分、即ち、土踏まず部分１Ａの上側部分（第２部分）１ＡＵ上には配設されてはいない。この土踏まず部分１Ａの上側部分１ＡＵは、中敷き本体１自体より成る部分であるので、中敷き本体１の本来的機能である、足が沈み込む程度のクッション性を呈する。従って、土踏まず部分１Ａの上側部分１ＡＵは、中敷き１０が靴の中底に敷かれた際の靴の使用時の靴の曲がり易さ・変形のし易さを担保して、靴を履いている者に、違和感を、感じさせない機能を奏する。尚、変形例として、合成樹脂体２の左側端部は、中敷き本体１の裏面１ＲＳの土踏まず部分１Ａの全体を被覆する様に、土踏まず部分１Ａの全体上に配設されていても良い。
【００２３】
＜中敷き１０の使用時の機能＞
中敷き１０が靴（図示せず。）の中底上に敷かれている場合に、中敷き１０の使用時に、合成樹脂体２は、次の作用を呈する。即ち、使用時に、足の重みが中敷き本体１の外縁１ＯＥ回りの横サイドに加わると、中敷き本体１の外縁１ＯＥ回りの横サイドは左右にぶれつつ潰れる様に沈み込もうとするが、合成樹脂体２は中敷き本体１よりも比較的十分に硬い部材であって且つ靴の中底と中敷き本体１との間に介在しているために、合成樹脂体２は、足からの加圧に対して反発力を中敷き本体１の外縁１ＯＥ回りの横サイドに加える。その結果、中敷き本体１の外縁１ＯＥ回りの横サイドは潰れることなく、しっかりと足の横サイドを支持し得ることとなり、靴の中の足は、当該靴が靴幅４Ｅの様な幅広の靴であっても、歩行中に横に揺らぐような動きをすることが無くなる。しかも、踵側領域中央部１Ｄの存在により、靴を履いている者は、足の裏の踵側領域の中央部が適度な沈み込みを感じることとなるので、歩行中の違和感を覚えることもない。
【００２４】
しかも、中敷き本体１の土踏まず部分１Ａの下側部分１ＡＬには合成樹脂体２が配設されているので、この土踏まず部分１Ａの下側部分１Ａは沈み込みによって潰れてしまうことは無い。他方で、本来的に歩行中に足が横サイドに動く場所である、土踏まず部分１Ａの上側部分１ＡＵには合成樹脂体２が配設されていないので、歩行時に中敷き１０を介して靴が曲がるのが悪くなるのを防止することが可能となり、以って、靴を履いている者の歩行中の違和感の発生を防止することが出来る。
【００２５】
よって、中敷き１０を靴の中底に敷いた場合に、当該靴を履いている者は、違和感を覚えずに、足の横ぶれに起因した靴の中での移動を受けることがなくなり、ぴったりとフィットして足が靴に馴染んだ快適な状態で、安定的に歩行することが可能となる。
【００２６】
（付記）
以上、本考案の実施の形態を詳細に開示し記述したが、以上の記述は本考案の適用可能な局面を例示したものであって、本考案はこれに限定されるものではない。即ち、記述した局面に対する様々な修正及び／又は変形例を、この考案の範囲から逸脱することの無い範囲内で考えることが可能である。
【産業上の利用可能性】
【００２７】
本考案は、中敷き及び当該中敷きを備えた靴に適用して好適なものである。この場合、靴に関して、短靴又は長靴等の種類は問われないし、且つ、使用者の性別（男性・女性）は問われない。
【符号の説明】
【００２８】
１０    中敷き
１  中敷き本体
１Ａ  中敷き本体の土踏まずの部分
１Ｂ  中敷き本体の踵部分
１Ｃ  中敷き本体の土踏まず部に対向する外側部分
２  合成樹脂体
【図１】
0003198149.tif 000003
【図２】
0003198149.tif 000004
【図３】
0003198149.tif 000005
【図４】
0003198149.tif 000006